(57)【要約】【目的】リトラクタ側のシートベルトと乗員側のシートベルトとの間のベルト開き角度が大きくなっても、シートベルトの取扱操作性を向上する。【構成】ベルトガイドアンカー５はシートベルト４が摺動可能に挿通されるベルト挿通孔５ｃと車内側の面および車外側の面にそれぞれベルト挿通孔５ｃに隣接して膨出部５ｂ1,５ｂ2とを有する。車内外側の面にはそれぞれ、ベルト挿通孔５ｃの車両前方側の部分に隣接する膨出部５ｂ1に薄肉部５ｅと、ベルト挿通孔５ｃの車両後方側の部分に隣接する膨出部５ｂ2に薄肉部５ｆとが設けられる。したがって、ベルト開き角度θが大きくなっても、シートベルト４は膨出部５ｂ1,５ｂ2の各薄肉部５ｅ,５ｆに弱く当接するので、シートベルト４の引出し時の摩擦が低減され、シートベルト４をスムーズに引き出すことができる。【選択図】  図２
2008260463.tif 000002
【特許請求の範囲】
【請求項１】
シートベルトリトラクタから引き出されたシートベルトが摺動可能に挿通されるベルト挿通孔を有するとともに、車内側の面および車外側の面にそれぞれベルト挿通孔に隣接して膨出部を有し、前記ベルト挿通孔によりシートベルトを乗員の方へガイドするベルトガイドアンカーにおいて、
車内側の面において、前記膨出部のうち、前記ベルト挿通孔の車両前方側の部分にベルトガイドアンカーの車体への取付状態で下側に隣接する車両前方側膨出部が、前記ベルト挿通孔の車両後方側の部分にベルトガイドアンカーの車体への取付状態で下側に隣接する車両後方側膨出部の肉厚より薄い薄肉部とされているとともに、
車外側の面において、前記膨出部のうち、前記ベルト挿通孔の車両後方側の部分にベルトガイドアンカーの車体への取付状態で下側に隣接する車両後方側膨出部が、前記ベルト挿通孔の車両前方側の部分にベルトガイドアンカーの車体への取付状態で下側に隣接する車両前方側膨出部の肉厚より薄い薄肉部とされていることを特徴とするベルトガイドアンカー。
【請求項２】
前記車内側の面における前記薄肉部は、ベルトガイドアンカーの車体への取付状態でこの薄肉部が設けられている車両前方側膨出部と左右対称位置にある車両後方側膨出部の肉厚より薄くされているとともに、前記車外側の面における前記薄肉部は、ベルトガイドアンカーの車体への取付状態でこの薄肉部が設けられている車両後方側膨出部と左右対称位置にある車両前方側膨出部の肉厚より薄くされていることを特徴とする請求項１記載のベルトガイドアンカー。
【請求項３】
車内側の面の薄肉部と車外側の面の薄肉部とは、いずれも凹部からなることを特徴とする請求項１または２記載のベルトガイドアンカー。
【請求項４】
乗員に装着されるシートベルトと、前記シートベルトを引き出し可能に巻き取るとともに、前記緊急時に作動して前記シートベルトの引出しを阻止するシートベルトリトラクタと、前記シートベルトリトラクタから引き出されたシートベルトを乗員の方へガイドするベルトガイドアンカーと、前記ベルトガイドアンカーを通過した前記シートベルトに摺動可能に支持されたタングと、車体または車両シートに設けられ、前記タングが離脱可能に係止されるバックルとを少なくとも備えるシートベルト装置において、
前記ベルトガイドアンカーに、請求項１ないし３のいずれか１に記載されたベルトガイドアンカーが用いられていることを特徴とするシートベルト装置。
【発明の詳細な説明】
【技術分野】
【０００１】
本発明は、例えばピラー等の車体に支持され、シートベルト装置のシートベルトを乗員のショルダーの方へガイドするベルトガイドアンカーおよびこれを用いたシートベルト装置の技術分野に関するものである。
【背景技術】
【０００２】
従来から自動車等の車両シートに付設されているシートベルト装置は、衝突時等の車両に大きな減速度が作用した場合のような緊急時に、シートベルトで乗員を拘束するようになっている。このようなシートベルト装置には、例えば車体のピラー等に支持され、シートベルトを摺動可能にガイドするベルトガイドアンカーを備えたシートベルト装置が種々提案されている（例えば、特許文献１参照）。
【０００３】
この特許文献１に記載のベルトガイドアンカーにより、シートベルトリトラクタから引き出されたシートベルトはベルトガイドアンカーで曲げ返されて乗員のショルダーの方へガイドされ、乗員にフィットされる。これにより、シートベルトは乗員を正しい位置で拘束するようになる。
【特許文献１】特開２００２−２００９６４号公報
【発明の開示】
【発明が解決しようとする課題】
【０００４】
ところで、シートベルト装置においては、車両のレイアウトによってはシートベルトリトラクタを乗員よりはるかに後方に配置しなければならない場合がある。このようにシートベルトリトラクタを後方に配置した場合、ベルトガイドアンカーで曲げ返される前のシートベルト（つまり、シートベルトリトラクタ側のシートベルト）と、ベルトガイドアンカーで曲げ返された後のシートベルト（つまり、乗員側のシートベルト）との間のベルト開き角度が大きくなってしまう。
【０００５】
しかしながら、前述の特許文献１に記載のベルトガイドアンカーでは、ベルト挿通孔に隣接するモールド樹脂の部分は厚肉部とされて、ベルトガイドアンカーの厚み方向（車両サイドにおいて車内外方向）に大きく膨出している。このように膨出部を設けることで、ベルト挿通孔におけるモールド樹脂の部分の曲率半径を大きくして、この部分でシートベルトをスムーズに摺動させている。
【０００６】
このようにベルト挿通孔の近傍に膨出部が形成された場合、前述のようにシートベルトリトラクタ側のシートベルトとの間のベルト開き角度が大きくなると、シートベルトがこれらの膨出部に圧接されるようになる。このため、シートベルトの引出し時にシートベルトとベルトガイドアンカーの膨出部との間の摩擦が大きくなり、シートベルトがスムーズに引き出せなくなる。しかも、ベルトガイドアンカーがこの摩擦力で回動し、シートベルトの片寄り（ジャミング）が発生し易くなる。したがって、このような車両のレイアウトにシートベルトリトラクタを配設した場合には、シートベルトの取扱操作性が低下してしまう。
【０００７】
そこで、ベルトガイドアンカーのベルト挿通孔の幅を拡げることでシートベルトの操作性の低下を阻止することが考えられる。しかしながら、ベルト挿通孔の幅を拡げると、シートベルトの幅方向の規制がなくなるので、同様にジャミングが発生し易くなってしまう。
【０００８】
本発明は、このような事情に鑑みてなされたものであって、その目的は、リトラクタ側のシートベルトと乗員側のシートベルトとの間のベルト開き角度が大きくなっても、シートベルトの取扱操作性を向上することのできるベルトガイドアンカーおよびこれを用いたシートベルト装置を提供することである。
【課題を解決するための手段】
【０００９】
前述の課題を解決するために、請求項１の発明に係るベルトガイドアンカーは、シートベルトリトラクタから引き出されたシートベルトが摺動可能に挿通されるベルト挿通孔を有するとともに、車内側の面および車外側の面にそれぞれベルト挿通孔に隣接して膨出部を有し、前記ベルト挿通孔によりシートベルトを乗員の方へガイドするベルトガイドアンカーにおいて、車内側の面において、前記膨出部のうち、前記ベルト挿通孔の車両前方側の部分にベルトガイドアンカーの車体への取付状態で下側に隣接する車両前方側膨出部が、前記ベルト挿通孔の車両後方側の部分にベルトガイドアンカーの車体への取付状態で下側に隣接する車両後方側膨出部の肉厚より薄い薄肉部とされているとともに、車外側の面において、前記膨出部のうち、前記ベルト挿通孔の車両後方側の部分にベルトガイドアンカーの車体への取付状態で下側に隣接する車両後方側膨出部が、前記ベルト挿通孔の車両前方側の部分にベルトガイドアンカーの車体への取付状態で下側に隣接する車両前方側膨出部の肉厚より薄い薄肉部とされていることを特徴としている。
【００１０】
また、請求項２の発明に係るベルトガイドアンカーは、前記車内側の面における前記薄肉部が、ベルトガイドアンカーの車体への取付状態でこの薄肉部が設けられている車両前方側膨出部と左右対称位置にある車両後方側膨出部の肉厚より薄くされているとともに、前記車外側の面における前記薄肉部は、ベルトガイドアンカーの車体への取付状態でこの薄肉部が設けられている車両後方側膨出部と左右対称位置にある車両前方側膨出部の肉厚より薄くされていることを特徴としている。
更に、請求項３の発明に係るベルトガイドアンカーは、車内側の面の薄肉部と車外側の面の薄肉部とは、いずれも凹部からなることを特徴としている。
【００１１】
一方、請求項４の発明に係るシートベルト装置は、乗員に装着されるシートベルトと、前記シートベルトを引き出し可能に巻き取るとともに、前記緊急時に作動して前記シートベルトの引出しを阻止するシートベルトリトラクタと、前記シートベルトリトラクタから引き出されたシートベルトを乗員の方へガイドするベルトガイドアンカーと、前記ベルトガイドアンカーを通過した前記シートベルトに摺動可能に支持されたタングと、車体または車両シートに設けられ、前記タングが離脱可能に係止されるバックルとを少なくとも備えるシートベルト装置において、前記ベルトガイドアンカーに、本発明のベルトガイドアンカーが用いられていることを特徴としている。
【発明の効果】
【００１２】
このように構成された本発明に係るベルトガイドアンカーによれば、ベルトガイドアンカーの車内側の面において、ベルト挿通孔の車両前方側の部分に隣接する車両前方側膨出部に薄肉部を設け、かつ車外側の面において、ベルト挿通孔の車両後方側の部分に隣接する車両後方側膨出部に薄肉部を設けているので、ベルト挿通孔を通過した乗員側シートベルトが最大の傾斜角で傾斜して下方かつ車両前方に向かって延設されたとき、乗員側シートベルトの車両前方側に位置する側縁側の部分がベルトガイドアンカーの薄肉部に弱く当接させることができるとともに、ベルト挿通孔を通過する前のリトラクタ側シートベルトが最大の傾斜角で傾斜して下方かつ車両前方に向かって延設されたとき、リトラクタ側シートベルトの車両後方側に位置する側縁側の部分がベルトガイドアンカーの薄肉部およびその近傍部に弱く当接させることができる。
【００１３】
これにより、乗員のシートベルト装着操作時に、シートベルトと膨出部の薄肉部との摩擦が低減され、乗員はシートベルトをスムーズに引き出すことができる。その場合、シートベルトが乗員よりかなり車両後方から引き出されて、リトラクタ側シートベルトと乗員側シートベルトとの成すベルト開き角度が大きくなっても、シートベルトと両薄肉部との摩擦を低減でき、シートベルトをスムーズに引き出すことができる。これにより、シートベルトの取扱操作性が向上する。また、場合によっては、シートベルトが膨出部の両薄肉部およびその近傍部とほとんど当接しないこともある。この場合には、シートベルトと両薄肉部およびその近傍部との摩擦が更に一層抑制することができる。
【００１４】
また、ベルトガイドアンカーの車内側の面の薄肉部と裏側の車外側の面は薄肉部ではなく、またベルトガイドアンカーの車外側の面の薄肉部と裏側の車内側の面は薄肉部ではないので、薄肉部を設けてもベルトガイドアンカーの強度を確保することができる。            
【００１５】
更に、ベルト挿通孔の中央のベルトガイド孔の幅を拡大する必要がないので、このベルトガイド孔の幅を拡大することに起因するシートベルトのねじれの発生や片寄り（ジャミング）の発生を阻止することができる。
【００１６】
更に、各薄肉部を凹部で構成すると、膨出部の一部を単に凹ませるだけでよいので、従来のベルトガイドアンカーを用いることができ、安価に形成することができる。
【発明を実施するための最良の形態】
【００１７】
以下、図面を用いて本発明を実施するための最良の形態について説明する。
図１は本発明にかかるベルトガイドアンカーの実施の形態の一例を備えたシートベルト装置を模式的に示す図である。
【００１８】
図１に示すように、この例のシートベルト装置１は、シートベルトリトラクタを用いた従来公知の三点式シートベルト装置と同様に、車両シート２近傍の車体に固定されたシートベルトリトラクタ３、このシートベルトリトラクタ３から引き出されるとともに先端のベルトアンカー８が車体の床あるいは車両シート２に固定されるシートベルト４、シートベルトリトラクタ３から引き出されたシートベルト４を乗員のショルダーの方へガイドするベルトガイドアンカー５、このベルトガイドアンカー５からガイドされてきたシートベルト４に摺動自在に支持されたタング６、車体の床あるいは車両シート２に固定されかつタング６が係脱可能に挿入係合されるバックル７から構成されている。
【００１９】
図２はこの例のベルトガイドアンカーを示し、（ａ）は車内側の面を示す正面図、（ｂ）は車外側の面を示す裏面図であり、図３は図２（ａ）におけるIII−III線に沿う断面図である。
図２（ａ）および（ｂ）に示すように、この例のベルトガイドアンカー５は、従来公知の一般的なベルトガイドアンカーと同じ基本構成を有している。すなわち、図３に示すようにベルトガイドアンカー５は、金属プレート５ａを芯金にし、この金属プレート５ａの所定の個所を樹脂５ｂでモールドされて構成されている。そして、樹脂５ｂの所定個所に細長いベルト挿通孔５ｃが車両前後方向（図２（ａ）において左右方向）となるように設けられている。
【００２０】
このベルト挿通孔５ｃは、シートベルト４を摺動可能にガイドする直線状の中央ガイド孔５ｃ1と、この中央ガイド孔５ｃ1の両端にシートベルト４のねじれを防止する湾曲形状の逃げ孔５ｃ2,５ｃ3とからなっている。そして、シートベルトリトラクタ３から引き出されたシートベルト４が下方かつ車両後方からベルト挿通孔５ｃに挿通されるとともにベルト挿通孔５ｃの通過後下方かつ車両前方に向かって曲げ返される。中央ガイド孔５ｃ1の幅は、ベルト挿通孔５ｃでのシートベルト４の曲げ返し時に生じると考えて設定した最大幅（シートベルト４の両側縁間の長さ）より若干長く設定されている。
【００２１】
また、金属プレート５ａには、ベルトガイドアンカー５を車体に取り付けるための取付孔５ｄが設けられている。また、金属プレート５ａにモールドされた樹脂５ｂは、金属プレート５ａの各表面から車内側および車外側のそれぞれの方向に膨出した膨出部５ｂ1,５ｂ2を有している。そして、この例のベルトガイドアンカー５も、従来一般的なベルトガイドアンカーと同様に、ベルト挿通孔５ｃおよび取付孔５ｄを含む大部分が、図２（ａ）,（ｂ）において取付孔５ｄの中心を通る上下方向の直線に関して左右対称またはほぼ左右対称に構成されている。
【００２２】
この例のベルトガイドアンカー５は、このような従来一般的なベルトガイドアンカーと同じ基本構成に対して、次のような異なる構成を有している。すなわち、図２（ａ）および図３に示すように、ベルトガイドアンカー５の車内側の面において、中央ガイド孔５ｃ1の車両前方側の部分（図２（ａ）において左側）およびこの中央ガイド孔５ｃ1の車両前方側の部分に連続する逃げ孔５ｃ2の部分にそれぞれベルトガイドアンカー５の車体への取付状態で下側に隣接する、樹脂５ｂの膨出部５ｂ1の部分に、金属プレート５ａの表面からの樹脂５ｂの膨出量が小さい薄肉部５ｅが設けられている。この薄肉部５ｅは、その周囲の近傍部分と滑らかな形状変化に形成されている。
【００２３】
図４に実線で示すようにベルト挿通孔５ｃを通過した乗員側のシートベルト４が、シートベルト装置１が搭載される車両のレイアウトに基づいて考えられる最大の傾斜角で傾斜して下方かつ車両前方に向かって延設されるときには、乗員側シートベルト４の車両前方側に位置する側縁側の部分４ａが薄肉部５ｅの領域内を通過するようになっている。したがって、この薄肉部５ｅにより、乗員側シートベルト４の部分４ａが樹脂５ｂの膨出部５ｂ1の薄肉部５ｅおよびその近傍部に弱く当接するようになる。
【００２４】
ベルトガイドアンカー５の車内側の面において、この薄肉部５ｅは、中央ガイド孔５ｃ1の車両後方側（図２（ａ）において右側）よりの部分およびこの中央ガイド孔５ｃ1の車両後方側の部分に連続する逃げ孔５ｃ3の部分に隣接する、樹脂５ｂの膨出部５ｂ1の部分５ｂ3には設けられない。したがって、この例のベルトガイドアンカー５は、ベルトガイドアンカー５の車内側が図２（ａ）において取付孔５ｄの中心を通る上下方向の直線に関して左右非対称に形成されている。換言すると、樹脂５ｂの膨出部５ｂ1における薄肉部５ｅは、図４ｂに二点鎖線で示す従来のベルトガイドアンカー５のこの部分の肉厚より薄く、つまり、車両後方側部分の薄肉部５ｅ形成部分と左右対称位置（図２（ａ）において取付孔５ｄの中心を通る上下方向の直線に関して対称位置）の部分に比べて肉厚が薄い薄肉部となっている。なお、薄肉部５ｅは段部を有する凹部として形成することもできる。
【００２５】
一方、図２（ｂ）に示すように、ベルトガイドアンカー５の車外側の面において、中央ガイド孔５ｃ1の車両後方側の部分（図２（ｂ）において左側）およびこの中央ガイド孔５ｃ1の車両後方側の部分に連続する逃げ孔５ｃ3の部分にそれぞれベルトガイドアンカー５の車体への取付状態で下側に隣接する、樹脂５ｂの膨出部５ｂ2の部分に、金属プレート５ａの表面からの樹脂５ｂの膨出量が小さい薄肉部５ｆが設けられている。この薄肉部５ｆにより、前述のベルトガイドアンカー５の車内側の面における薄肉部５ｅの場合と同様に、シートベルトリトラクタ３から引き出されてベルト挿通孔５ｃに挿通されようとするリトラクタ側シートベルト４が考えられる最大の傾斜角で傾斜して下方かつ車両後方から延設されるときには、リトラクタ側シートベルト４の車両後方側に位置する側縁側の部分４ｂが樹脂５ｂの膨出部５ｂ2の薄肉部５ｆおよびその近傍部に弱く当接するようになる。樹脂５ｂの膨出部５ｂ2における薄肉部５ｆは、薄肉部５ｅ形成部分と同様に、車両前方側部分の薄肉部５ｆ形成部分と左右対称位置（図２（ｂ）において取付孔５ｄの中心を通る上下方向の直線に関して対称位置）の部分に比べて肉厚が薄くされている。なお、薄肉部５ｆは前述の薄肉部５ｅと同様に、凹部で形成することもできる。
【００２６】
ベルトガイドアンカー５の車外側の面において、この薄肉部５ｆは、中央ガイド孔５ｃ1の車両前方側（図２（ｂ）において右側）の部分およびこの中央ガイド孔５ｃ1の車両前方側の部分に連続する逃げ孔５ｃ2の部分にそれぞれベルトガイドアンカー５の車体への取付状態で下側に隣接する、樹脂５ｂの膨出部５ｂ2の部分５ｂ4には設けられない。したがって、この例のベルトガイドアンカー５は、ベルトガイドアンカー５の車外側が図２（ａ）において左右非対称に形成されている。なお、薄肉部５ｆを、中央ガイド孔５ｃ1の車両前方側の部分およびこの中央ガイド孔５ｃ1の車両前方側の部分に連続する逃げ孔５ｃ2の部分に隣接する、樹脂５ｂの膨出部５ｂ2の部分にも設けることもできる。この場合には、ベルトガイドアンカー５の車内側を図２（ｂ）において左右対称に形成することもできる。
【００２７】
この例のベルトガイドアンカー５によれば、ベルトガイドアンカー５の車内側の面において、中央ガイド孔５ｃ1の車両前方側の部分およびこの中央ガイド孔５ｃ1の車両前方側の部分に連続する逃げ孔５ｃ2の部分にそれぞれベルトガイドアンカー５の車体への取付状態で下側に隣接する、樹脂５ｂの膨出部５ｂ1の部分に、薄肉部５ｅを設けているので、ベルト挿通孔５ｃを通過した乗員側シートベルト４が最大の傾斜角で傾斜して下方かつ車両前方に向かって延設されるときにも、図４に実線で示すように乗員側シートベルト４の車両前方側に位置する側縁側の部分４ａが膨出部５ｂ1の薄肉部５ｅおよびその近傍部に弱く当接させることができる。
【００２８】
また、ベルトガイドアンカー５の車外側の面において、中央ガイド孔５ｃ1の車両後方側の部分およびこの中央ガイド孔５ｃ1の車両後方側の部分に連続する逃げ孔５ｃ3の部分にそれぞれベルトガイドアンカー５の車体への取付状態で下側に隣接する、樹脂５ｂの膨出部５ｂ2の部分に、薄肉部５ｆを設けているので、ベルト挿通孔５ｃを通過する前のリトラクタ側シートベルト４が最大の傾斜角で傾斜して下方かつ車両前方に向かって延設されるときにも、シートベルト４の車両後方側に位置する側縁側の部分４ｂが樹脂５ｂの膨出部５ｂ2の薄肉部５ｆおよびその近傍部に弱く当接させることができる。
【００２９】
これにより、乗員のシートベルト装着操作時に、シートベルト４と樹脂５ｂの膨出部５ｂ1,５ｂ2との摩擦が低減され、乗員はシートベルト４をスムーズに引き出すことができる。その場合、シートベルト４が乗員よりかなり車両後方から引き出されて、中央ガイド孔５ｃ1で曲げ返される前のリトラクタ側シートベルト４と、曲げ返された後の乗員側シートベルト４との成すベルト開き角度θ（図２（ａ）,（ｂ）に示す）が大きくなっても、両薄肉部５ｅ,５ｆによってシートベルト４が樹脂５ｂの膨出部５ｂ1,５ｂ2の薄肉部５ｅ,５ｆおよびそれらの近傍部に弱く当接するようになり、シートベルト４をスムーズに引き出すことができる。これにより、シートベルト４の取扱操作性が向上する。
【００３０】
なお、場合によっては、シートベルト４が膨出部５ｂ1,５ｂ2の両薄肉部５ｅ,５ｆからなる両薄肉部およびその近傍部とほとんど当接しないこともある。この場合には、シートベルト４と両薄肉部およびその近傍部との摩擦が更に一層抑制することができる。したがって、この場合にはシートベルト４を更に一層スムーズに引き出すことができる。
【００３１】
これに対して、従来のベルトガイドアンカーの場合には、例えば車内側の面においては図４に二点鎖線で示すように薄肉部５ｅが設けられていないことから、膨出部５ｂ1にシートベルト４が強く当接してシートベルト４と膨出部５ｂ1との摩擦が大きくなる。したがって、従来のベルトガイドアンカーでは、シートベルト４をスムーズに引き出すことができない。
【００３２】
更に、各薄肉部５ｅ,５ｂは、樹脂５ｂの膨出部５ｂ1,５ｂ2の一部を単に凹ませるだけでよいので、従来のベルトガイドアンカー５を用いることができ、安価に形成することができる。しかも、中央ガイド孔５ｃ1の幅を拡大する必要がないので、中央ガイド孔５ｃ1の幅を拡大することに起因するシートベルト４のねじれの発生や片寄り（ジャミング）の発生を阻止することができる。
【産業上の利用可能性】
【００３３】
本発明のベルトガイドアンカーおよびシートベルト装置は、シートベルトリトラクタから引き出されたシートベルトを乗員のショルダーの方へガイドして乗員にフィットさせるベルトガイドを備え、ベルトガイドでガイドされたシートベルトで乗員を拘束するシートベルト装置に好適に利用することができる。
【図面の簡単な説明】
【００３４】
【図１】本発明にかかるベルトガイドアンカーの実施の形態の一例を備えたシートベルト装置を模式的に示す図である。
【図２】図１に示す例のベルトガイドアンカーを示し、（ａ）は車内側の面を示す正面図、（ｂ）は車外側の面を示す裏面図である。
【図３】図２（ａ）におけるIII−III線に沿う断面図である。
【図４】図２（ａ）におけるIV−IV線に沿う断面図である。
【符号の説明】
【００３５】
１…シートベルト装置、２…車両シート、３…シートベルトリトラクタ、４…シートベルト、、５…ベルトガイドアンカー、６…タング、７…バックル、５ａ…金属プレート、５ｂ…樹脂、５ｂ1,５ｂ2…膨出部、５ｃ…ベルト挿通孔５ｃ、５ｃ1…中央ガイド孔、５ｃ2,５ｃ3…逃げ孔、５ｅ,５ｆ…薄肉部
【図１】
2008260463.tif 000003
【図２】
2008260463.tif 000004
【図３】
2008260463.tif 000005
【図４】
2008260463.tif 000006